(57)【要約】【課題】フロントフレームがそれ自体ハウジングとして使用されるか、または種々異なる深さを有するボックス状のハウジング基本構造に結合されることができるように、フロントフレームを構成する。【解決手段】角隅部材２０が、互いに直角に位置する２つの壁２３を有しており、壁２３が、フロントフレーム１０のフレーム脚片１１の端面に設けられたねじ受容部１２にねじ結合するための固定受容部２４を有しており、壁２３の、フレーム脚片に面した外面に、差込エレメントおよび／または係止エレメント２６が設けられており、差込エレメントおよび／または係止エレメント２６がフレーム脚片の差込受容部および／または係止受容部１３内に導入可能かつ／または係入可能であり、かつ壁２３が外壁２１および背壁２２に結合されており、外壁２１および背壁２２がフロントフレームの外面および背面を補完するようにした。【選択図】図１
2006112630.tif 000002
【特許請求の範囲】
【請求項１】
フロントフレームによりカバーされるハウジング開口を備えたハウジングであって、フロントフレームが４つのフレーム脚片と４つの角隅部材とから構成されており、角隅部材が、角隅部材において直角に突き合わされたフレーム脚片を互いに結合するようになっている
形式のものにおいて、
角隅部材（２０）が、互いに直角に位置する２つの壁（２３）を有しており、壁（２３）が、フロントフレーム（１０）のフレーム脚片（１１）の端面に設けられたねじ受容部（１２）にねじ結合するための固定受容部（２４）を有しており、
壁（２３）の、フレーム脚片（１１）に面した外面に、差込エレメントおよび／または係止エレメント（２６）が設けられており、差込エレメントおよび／または係止エレメント（２６）がフレーム脚片（１１）の差込受容部および／または係止受容部（１３）内に導入可能かつ／または係入可能であり、かつ
壁（２３）が外壁（２１）および背壁（２２）に結合されており、外壁（２１）および背壁（２２）がフロントフレーム（１０）の外面および背面を補完する
ことを特徴とする、ハウジング開口をカバーするフロントフレームを備えたハウジング。
【請求項２】
背壁（２２）に固定受容部（２５）が設けられており、固定受容部（２５）が、背壁またはボックス状のハウジング基本構造との結合を可能にする、請求項１記載のハウジング。
【請求項３】
角隅に向かって開いた角隅部材（２０）がカバーキャップ（３０）により閉鎖可能であり、カバーキャップ（３０）に差込エレメントおよび／または係止エレメント（３１，３２）が設けられており、差込エレメントおよび／または係止エレメント（３１，３２）が角隅部材（２０）の壁（２３）の差込受容部および／または係止受容部（２７，２８）内に導入可能かつ／または係入可能である、請求項１または２記載のハウジング。
【請求項４】
角隅部材（２０）の前壁（２１）および背壁（２２）の、フレーム脚片（１１）とは反対の側が丸み付けられており、カバーキャップ（３０）がこの丸みに適合されており、被せ嵌められたかつ／または被せ留められた状態でこの丸みに当て付けられている、請求項１から３までのいずれか１項記載のハウジング。
【請求項５】
フレーム脚片（１１）が押出し加工プロフィルの区分として切り出されており、一体的に成形されたねじ受容部（１２）と差込受容部および／または係止受容部（１３）とを有している、請求項１から４までのいずれか１項記載のハウジング。
【請求項６】
角隅部材（２０）の壁（２３）に設けられた固定受容部（２４）が、皿頭付ねじの頭のための皿頭受容部として形成されている、請求項１から５までのいずれか１項記載のハウジング。
【請求項７】
角隅部材（２０）の背壁（２２）に設けられた固定受容部（２５）が、ねじまたはねじ山付ピン（６０）のための孔として形成されており、かつ
前記孔が壁（２３）の内面で保持器（２９）により取り囲まれており、保持器（２９）内で、ねじ結合のためのナット（６３）が回動不能に固定可能である、
請求項１から６までのいずれか１項記載のハウジング。
【請求項８】
フロントフレーム（１０）に結合可能なハウジング基本構造が４つのハウジング壁板（４０）と４つのハウジング角隅部材（５０）とから構成されており、ハウジング角隅部材（５０）およびハウジング壁板（４０）が、ボックス状のハウジング基本構造の深さに合わせて調整されており、フロントフレーム（１０）の場合と同様の結合技術で設計されている、請求項１から７までのいずれか１項記載のハウジング。
【請求項９】
ハウジング基本構造のためのハウジング角隅部材（５０）が、同じ前壁と背壁（５１）とを備えて形成されており、前壁および背壁（５１）に、整合した孔（５２）が設けられており、
前壁と背壁（５１）との間の空間が仕切り壁（５３）により分割されており、仕切り壁（５３）が、整合した孔（５２）の領域に、ねじ山付ピン（６０）のための半円形の受容部（５４）を有しており、かつ
区切られた部分空間内に、ハウジング角隅部材（５０）の、ハウジング壁板（４０）に面した壁（５９）に、固定受容部（５５）と差込受容部および／または係止受容部（５６，５７）とが設けられており、固定受容部（５５）と差込受容部および／または係止受容部（５６，５７）とがその配置および設計の点で、フロントフレーム（１０）の角隅部材（２０）に設けられた相応のエレメントの配置および設計に等しい、
請求項８記載のハウジング。
【請求項１０】
ハウジング基本構造のハウジング角隅部材（５０）がハウジングカバーキャップによりカバー可能であり、ハウジングカバーキャップの、ハウジング壁板（４０）との結合技術が、カバーキャップ（３０）の、フロントフレーム（１０）の角隅部材（２０）との結合技術に等しい、請求項９記載のハウジング。
【請求項１１】
少なくとも角隅部材（２０）の前壁（２１）の前面と、カバーキャップ（３０）の、接続する外壁とが面一に、フロントフレーム（１０）のフレーム脚片（１１）の前面に移行する、請求項１から１０までのいずれか１項記載のハウジング。
【請求項１２】
角隅部材（２０）の前壁（２１）の前面がほぼ面一に、フロントフレーム（１０）のフレーム脚片（１１）の、接続する前面に移行し、かつ
カバーキャップ（３０）が少なくとも角隅部材（２０）の前壁（２１）と、フロントフレーム（１０）のフレーム脚片（１１）の、接続する前面とを部分的に覆う、
請求項１から１１までのいずれか１項記載のハウジング。
【発明の詳細な説明】
【技術分野】
【０００１】
本発明は、フロントフレームによりカバーされるハウジング開口を備えたハウジングであって、フロントフレームが４つのフレーム脚片と４つの角隅部材とから構成されており、角隅部材が、角隅部材において直角に突き合わされたフレーム脚片を互いに結合するようになっている形式のものに関する。
【背景技術】
【０００２】
この種のハウジングでは、フロントフレームが複数の機能を請け負う。一方で、フロントフレームはフロントパネルを取り付けるための固定エレメントを受容する。フロントパネルはハウジングの前面に向かってハウジングの閉鎖を形成し、種々異なる形式で形成されており、かつ表示エレメントおよび操作エレメントを有していることができる。このことは例えばドイツ連邦共和国特許第４１０９６９５号明細書に示されている。他方で、フロントフレームが適当な構造深さを有していれば、フロントフレームはそれ自体ハウジングとして役立つことができる。このハウジングはフロントフレームの背面で背壁により閉鎖されることができる。背壁はフロントフレームに結合されなければならない。
【０００３】
ドイツ連邦共和国特許第１９５２５８７６号明細書に示されているように、ハウジング開口には、フロントフレームのフレーム脚片および角隅部材と、ハウジング開口を形成するハウジング壁とを所定の形で設計すれば、事後的にも、付加的な固定部分に大きな手間をかけずにフロントフレームが設けられることができる。
【特許文献１】ドイツ連邦共和国特許第４１０９６９５号明細書
【特許文献２】ドイツ連邦共和国特許第１９５２５８７６号明細書
【発明の開示】
【発明が解決しようとする課題】
【０００４】
そこで本発明の課題は、ハウジング開口をカバーするフロントフレームを備えたハウジングにおいて、フロントフレームがそれ自体ハウジングとして使用されるか、または種々異なる深さを有するボックス状のハウジング基本構造に結合されることができるように、フロントフレームを構成することである。しかも、使用される付加的な固定部分が特に少なくかつ簡単で済み、固定箇所がハウジングの正面からは不可視であるようになっているべきである。
【課題を解決するための手段】
【０００５】
上記課題を解決した本発明の構成によれば、角隅部材が、互いに直角に位置する２つの壁を有しており、壁が、フロントフレームのフレーム脚片の端面に設けられたねじ受容部にねじ結合するための固定受容部を有しており、壁の、フレーム脚片に面した外面に、差込エレメントおよび／または係止エレメントが設けられており、差込エレメントおよび／または係止エレメントがフレーム脚片の差込受容部および／または係止受容部内に導入可能かつ／または係入可能であり、かつ壁が外壁および背壁に結合されており、外壁および背壁がフロントフレームの外面および背面を補完するようにした。
【発明の効果】
【０００６】
フロントフレームのフレーム脚片および角隅部材をこのように設計すると、簡単なねじ結合により、フレーム脚片の端面が、フロントフレームの角隅領域で、角隅部材の壁に螺設されることができる。加えて、角隅部材の背壁は、背壁または接続可能なハウジング基本構造を直接フロントフレームに結合する可能性を提供する。固定受容部と、差込受容部および／または係止受容部とを備えたフレーム脚片は、一体的に押出し加工プロフィル区分として製作されることができる。加えて、フレーム脚片の外面には、弾性的なストリップまたはラベルストリップを取り付けるための外溝が設けられることができる。
【０００７】
本発明の別の有利な構成では、背壁に固定受容部が設けられており、固定受容部が、背壁またはボックス状のハウジング基本構造との結合を可能にする。本発明のさらに別の有利な構成では、角隅に向かって開いた角隅部材がカバーキャップにより閉鎖可能であり、カバーキャップに差込エレメントおよび／または係止エレメントが設けられており、差込エレメントおよび／または係止エレメントが角隅部材の壁の差込受容部および／または係止受容部内に導入可能かつ／または係入可能であるようになっていることができる。角隅部材のためのカバーキャップは簡単に角隅部材に被せ嵌められるかつ／または被せ留められることができる。その際、カバーキャップは可視側のフロントフレームの、審美的に優れた閉鎖を提供する。
【０００８】
フレーム脚片の外溝はハンドグリップ、付加部分およびこれに類するものを受容することもできる。その際、これらの部分と受容溝との間には、燕尾状の結合、すなわちありつぎが提供される。
【０００９】
フロントフレームは、角隅部材の前壁および背壁の、フレーム脚片とは反対の側が丸み付けられており、カバーキャップがこの丸みに適合されており、被せ嵌められたかつ／または被せ留められた状態でこの丸みに当て付けられていることにより、見映えの良い審美性を備えて構成される。
【００１０】
角隅部材を、フロントフレームの、直角に突き合わされたフレーム脚片に結合するために、角隅部材の壁に設けられた固定受容部が、皿頭付ねじの頭のための皿頭受容部として形成されているようになっており、それに対して、フロントフレームの背面での結合のために、角隅部材の背壁に設けられた固定受容部が、ねじまたはねじ山付ピンのための孔として形成されており、かつ前記孔が壁の内面で保持器により取り囲まれており、保持器内で、ねじ結合のためのナットが回動不能に固定可能であるようになっている。その際、この保持器も角隅部材と一体的に製作されており、背面での結合は、カバーキャップを取り外した状態で、快適に形成されることができる。
【００１１】
フロントフレームをハウジング基本構造に結合するのに、本発明の別の有利な構成では、フロントフレームに結合可能なハウジング基本構造が４つのハウジング壁板と４つのハウジング角隅部材とから構成されており、ハウジング角隅部材およびハウジング壁板が、ボックス状のハウジング基本構造の深さに合わせて調整されており、フロントフレームの場合と同様の結合技術で設計されている。このことは、フロントフレームのためにも、ハウジング基本構造のためにも、固定部分、差込エレメントおよび／または係止エレメント、差込受容部および／または係止受容部およびこれに関連する組立手段が同等であるという利点を有している。
【００１２】
その際、フロントフレームおよびハウジング基本構造の構造は、ハウジング基本構造のためのハウジング角隅部材が、同じ前壁と背壁とを備えて形成されており、前壁および背壁に、整合した孔が設けられており、前壁と背壁との間の空間が仕切り壁により分割されており、仕切り壁が、整合した孔の領域に、ねじ山付ピンのための半円形の受容部を有しており、かつ区切られた部分空間内に、ハウジング角隅部材の、ハウジング壁板に面した壁に、固定受容部と差込受容部および／または係止受容部とが設けられており、固定受容部と差込受容部および／または係止受容部とがその配置および設計の点で、フロントフレームの角隅部材に設けられた相応のエレメントの配置および設計に等しいようになっていることと、ハウジング基本構造のハウジング角隅部材がハウジングカバーキャップによりカバー可能であり、ハウジングカバーキャップの、ハウジング壁板との結合技術が、カバーキャップの、フロントフレームの角隅部材との結合技術に等しいようになっていることとによりさらに明快なものとなる。
【００１３】
審美的な理由から、少なくとも角隅部材の前壁の前面と、カバーキャップの、接続する外壁とが面一に、フロントフレームのフレーム脚片の前面に移行するようになっているか、または角隅部材の前壁の前面がほぼ面一に、フロントフレームのフレーム脚片の、接続する前面に移行し、かつカバーキャップが少なくとも角隅部材の前壁と、フロントフレームのフレーム脚片の、接続する前面とを部分的に覆うようになっていることができる。
【００１４】
以下に図面を参照しながら本発明の実施例について詳説する。
【発明を実施するための最良の形態】
【００１５】
図１に示した斜視図から見て取ることができるように、フロントフレーム１０の角隅領域で、その都度２つのフレーム脚片１１が直角に突き合わされており、角隅部材２０に結合されている。その際、フレーム脚片１１は、フロントフレーム１０の寸法、すなわち幅および高さに合わせて押出し加工プロフィルから切り出されている。フレーム脚片１１の横断面から見て取れるように、この結合のために必要な固定受容部１２と、この結合のために必要な差込受容部および／または係止受容部１３とは、押出し加工プロフィルと一体的に製作されている。その結果、このために付加的な固定部分が設けられずに済む。
【００１６】
角隅部材２０では、２つの壁２３が互いに垂直に位置している。図示されているように、壁２３はその外面でもってフレーム脚片１１の端面に面しており、フレーム脚片１１に結合されている。これらの両壁２３の側方で、前壁２１と背壁２２とが、角隅に向かって開いた空間を形成する。この空間は、フレーム脚片１１が角隅部材２０に結合されているとき、カバーキャップ３０により閉鎖される。カバーキャップ３０には、差込エレメントおよび／または係止エレメント３１，３２が成形されている。差込エレメントおよび／または係止エレメント３１，３２は被せ嵌めプロセスまたは被せ留めプロセス時に差込受容部および／または係止受容部内に導入可能かつ／または係入可能である。差込受容部および／または係止受容部は、角隅部材２０の壁２３の内面に成形されているか、または壁２３内に作り込まれている。
【００１７】
図２〜図５に示した図面には、フレーム脚片１１およびカバーキャップ３０を取り付けるためのエレメントを備えて構成された角隅部材２０が示されている。
【００１８】
図２および図３には、角隅領域で開いた空間を明瞭に見て取ることができる。この空間は、フレーム脚片１１を結合するための、互いに直角に位置する壁２３と、前壁２１と、背壁２２とにより形成されている。
【００１９】
前壁２１と背壁２２とはフロントフレーム１０の前面と背面とに向かって、面一にフロントフレーム１０のこれらの面に接続することができる。
【００２０】
壁２３の外面には、差込エレメントおよび／または係止エレメント２６が成形されている。差込エレメントおよび／または係止エレメント２６は、フレーム脚片１１の、相応に配置された差込受容部および／または係止受容部１３内に導入可能かつ／または係入可能である。ここで、この技術は多数の変化実施例を提供する。加えて、角隅部材２０の壁２３内には固定受容部２４が作り込まれている。固定受容部２４は皿頭付ねじの皿頭を受容することができる。この皿頭付ねじはフレーム脚片１１の固定受容部１２内に螺入されることができる。加えて、角隅部材２０の背壁２２は、孔として形成された固定受容部２５を有している。その結果、この箇所で、フロントフレーム１０は直接背壁または図７に示したハウジング基本構造に結合されることができる。角隅部材２０の壁２３の外面に設けられた差込エレメントおよび／または係止エレメント２６により、一種の、準備された組み立て位置が、角隅部材２０とフレーム脚片１１との間で形成されることができる。その後、角隅部材２０とフレーム脚片１１とはねじ結合により、角隅部材２０の固定受容部２４およびフレーム脚片１１の固定受容部１２を介して固定される。
【００２１】
図６から見て取ることができるように、壁２３の内面は、カバーキャップ３０の差込エレメントおよび／または係止エレメント３１，３２のための差込受容部および／または係止受容部２７，２８を有している。その結果、カバーキャップ３０は、前組み立てされたフロントフレーム１０の、開いた角隅領域に覆い被さるように嵌められるかつ／または留められる、すなわち角隅領域に被せ嵌められるかつ／または被せ留められることができる。その際、カバーキャップ３０は、前壁２１および背壁２２の、丸み付けられた外面に当て付けられている。その際、カバーキャップ３０は面一にフロントフレーム１０の前面および背面に接続するか、または前面および背面に部分的にオーバーラップすることができる。
【００２２】
図７には、ハウジング基本構造の角隅領域が斜視図で示されている。ハウジング基本構造はハウジング壁板４０とハウジング角隅部材５０とから構成されている。ハウジング壁板４０およびハウジング角隅部材５０はその寸法に関して、ボックス状のハウジングの深さに合わせて調整されている。ハウジング角隅部材５０は、互いに直角に位置する壁５９を有している。壁５９はハウジング壁板４０に結合される。その際、固定受容部５５が示すように、フロントフレーム１０のフレーム脚片１１および角隅部材２０の場合と同様の結合技術が使用される。ハウジング角隅部材５０の壁５１は同様に丸み付けられており、孔として形成された固定受容部５２を有している。両固定受容部５２は整合し、ねじ山付ピン６０を受容することができる。ハウジング角隅部材５０の平行な壁５１の間の空間は、ねじ山付ピン６０の支承部としての半円形の受容部５４を備えた仕切り壁５３により分割されている。
【００２３】
ハウジング角隅部材５０は部分空間内に差込受容部および／または係止受容部５６，５７を有している。差込受容部および／または係止受容部５６，５７はハウジングカバーキャップの取り付けのために役立つ。ねじ山付ピン６０はナット６１，６２により軸方向で摺動不能に、ただしハウジング角隅部材５０内で回転可能に設置されることができる。ねじ山付ピン６０はフロントフレーム１０の角隅部材２０の背壁２２に設けられた固定受容部２５を通して導入され、ナット６３により固定されることができる。ナット６３は、角隅部材２０の固定受容部２５の周りに設けられた保持器２９内で回動不能に保持されている。こうして、ねじ山付ピン６０を回動させることにより、ハウジング基本構造は、図８に見て取ることができるように、フロントフレーム１０に結合されることができる。その際、ハウジング角隅部材５０は固定ねじを介して直接フロントフレーム１０の角隅部材２０に結合されることもできる。固定ねじは、対面した壁５１に設けられたスリーブ状の成形部内で案内されている。
【図面の簡単な説明】
【００２４】
【図１】直角に接続する両フレーム脚片を互いに結合し、かつカバーキャップによりカバーされることができる角隅部材を備えたフロントフレームの角隅領域の、部分的な立体展開図である。
【図２】角隅部材の斜視図である。
【図３】角隅部材の斜視図である。
【図４】フレーム脚片の端面に結合可能な壁に対して垂直な方向で見た角隅部材の平面図である（壁の内面に一体的に取り付けられたエレメントも見て取れる）。
【図５】壁に固定受容部を備えた角隅部材の背面を示す図である。
【図６】壁に取り付けたい両フレーム脚片を供えた角隅部材の、開いた側から見た斜視図である。
【図７】ハウジング角隅部材とハウジング壁板とを備えたハウジング基本構造のハウジング角隅領域の斜視図である。
【図８】フロントフレーム（図６）とハウジング基本構造（図７）とから構成されたハウジングの角隅領域の斜視図である。
【符号の説明】
【００２５】
１０  フロントフレーム、  １１  フレーム脚片、  １２  固定受容部、  １３  差込受容部および／または係止受容部、  ２０  角隅部材、  ２１  前壁、  ２２  背壁、  ２３  壁、  ２４  固定受容部、  ２５  固定受容部、  ２６  差込エレメントおよび／または係止エレメント、  ２７，２８  差込受容部および／または係止受容部、  ２９  保持器、  ３０  カバーキャップ、  ３１，３２  差込エレメントおよび／または係止エレメント、  ４０  ハウジング壁板、  ５０  ハウジング角隅部材、  ５１  壁、  ５２  固定受容部、  ５３  仕切り壁、  ５４  受容部、  ５５  固定受容部、  ５６，５７  差込受容部および／または係止受容部、  ５９  壁、  ６０  ねじ山付ピン、  ６１  ナット、  ６２  ナット、  ６３  ナット
【図１】
2006112630.tif 000003
【図２】
2006112630.tif 000004
【図３】
2006112630.tif 000005
【図４】
2006112630.tif 000006
【図５】
2006112630.tif 000007
【図６】
2006112630.tif 000008
【図７】
2006112630.tif 000009
【図８】
2006112630.tif 000010